(57)【特許請求の範囲】
【請求項１】
画像表示用光変調素子、前記光変調素子を照明する水銀ランプ、および前記水銀ランプ冷却用のファンを備えた画像表示装置であって、
前記画像表示装置の表示画面を予め定めた黒色画像に設定する画像ミュート手段と、
前記画像ミュート手段による画像ミュートモードの設定およびその設定の解除に対応して前記水銀ランプの出力輝度を調整するものであって、その出力輝度の低下量を適宜に調整可能なランプ出力輝度調整手段とを備え、
前記ランプ出力輝度調整手段は、前記画像ミュート手段による画像ミュートモードの設定に連動して前記水銀ランプに供給する電力量を調整することによって前記水銀ランプをＯＮ状態のままその出力輝度を該水銀ランプの照明光が前記光変調素子の画面から透過しない程度にまで低下させて前記予め定めた黒色画像を表示させ、前記画像ミュート手段による画像ミュートモードの設定の解除に連動して前記水銀ランプの出力輝度をミュート前の状態に戻すものである、ことを特徴とする画像表示装置。
【請求項２】
前記画像ミュート手段による設定およびその設定の解除に対応して前記ファンの回転速度を調整するファン速度調整手段とを備えた、ことを特徴とする請求項１記載の画像表示装置。
【請求項３】
前記ファン速度調整手段は、前記画像ミュート手段による設定に連動して前記ファンの回転速度を低下させ、前記設定の解除に連動して前記ファンの回転速度をミュート前の状態に戻すものである、ことを特徴とする請求項２記載の画像表示装置。
【請求項４】
音声の出力を行うスピーカと、
前記画像ミュート手段による設定およびその設定の解除に対応して前記スピーカの出力を調整する音声調整手段とを備えた、ことを特徴とする請求項１乃至３のいずれかに記載の画像表示装置。
【請求項５】
前記音声調整手段は、前記画像ミュート手段による設定に連動して前記スピーカからの出力を停止させ、前記設定の解除に連動して前記スピーカからの出力を再開させるものである、ことを特徴とする請求項４記載の画像表示装置。
【請求項６】
前記画像表示装置がプロジェクタであることを特徴とする、請求項１乃至５のいずれかに記載の画像表示装置。
【発明の詳細な説明】
【０００１】
【発明の属する技術分野】
本発明は、画像表示用素子、画像表示用素子を照明するランプ、およびランプ冷却用のファンを備えた画像表示装置、特にはプロジェクタに係り、上記ランプの動作を停止させることなく、画像表示装置の表示画面を非表示または予め定めた所定の表示に設定する技術、並びにその設定を解除する技術に関する。
【０００２】
【従来の技術】
従来のプロジェクタにおいては、主電源をそのままの状態にしてユーザーが画面を非表示または予め定めた所定の表示に設定する（以下、これを画像ミュートと称するものとする）機能を選択した場合、その画面に黒色を描画するか、あるいはその画面に任意のロゴマークなどを描画するようにされている。また、その際、音声出力も停止される（以下、これを音声ミュートと称するものとする）のが普通である。このようなミュート機能は、プレゼンテーションなどにおいて特に効果を発揮する。なお、以下では、画像ミュートと音声ミュートとを含めて、Ａ／Ｖミュートと称するものとする。
【０００３】
【発明が解決しようとする課題】
しかしながら、従来は、画像ミュートやＡ／Ｖミュート設定の際にも照明ランプの輝度はそのまま維持されていたため、画像表示用素子の画面に黒色を描画しても照明光が透過して画面は完全に黒色とはならない。また、冷却用ファンもそのまま動作しつづけるため、ファンの騒音が際立ってしまい、画像ミュートまたはＡ／Ｖミュートの効果が十分に発揮されないことが生じていた。
一方、画像ミュートやＡ／Ｖミュート設定のため、照明用ランプをＯＦＦとしてしまうと、次に画面表示を行うのにかなりの時間が掛かってしまうという問題もあった。これは、プロジェクタの光源に、高発光効率や短アーク長などの理由から、超高圧水銀ランプが用いられているためである。
【０００４】
超高圧水銀ランプは、発光管内に封入された水銀を蒸発させて発光するため、水銀が温まって完全に蒸発するまでには時間がかかり、安定状態に入るには１分以上を要する。また、超高圧水銀ランプの点灯中は発光管の外壁温度を６００℃程度の高温に保ち、水銀蒸気圧も高いため、一旦消灯しても発光管の温度や内部圧力はすぐには下がらない。そのような状態で高周波高電圧を印加しても、陰極から陽極に向かって電子が飛びにくく放電を開始しないため、ランプの瞬時再点灯は不可能である。そして、水銀が液体状に戻り、再点灯が可能な状態になるまでに数分を要する。従って、ランプのＯＮ／ＯＦＦにより投影画面を任意に表示したり非表示にしたりすることは、待ち時間が長くなりユーザーの使用環境から考えると不適当である。
【０００５】
本発明は、上記課題に鑑みてなされたもので、画像ミュートあるいはＡ／Ｖミュートの設定時に、ランプの出力輝度を適切に低下させて、更にはファンの騒音も低減させて、それらミュート設定の効果をより高めることができる画像表示装置を提供することを目的とする。また、それらのミュート設定の解除時には、素早く通常の画面表示を行うことができる画像表示装置を提供することを目的とする。
【０００６】
【課題を解決するための手段】
本発明は上記課題に対処するため、以下のような構成を採用する。
【０００７】
画像表示用光変調素子、前記光変調素子を照明する水銀ランプ、および前記水銀ランプ冷却用のファンを備えた画像表示装置であって、
前記画像表示装置の表示画面を予め定めた黒色画像に設定する画像ミュート手段と、
前記画像ミュート手段による画像ミュートモードの設定およびその設定の解除に対応して前記水銀ランプの出力輝度を調整するものであって、その出力輝度の低下量を適宜に調整可能なランプ出力輝度調整手段とを備え、
前記ランプ出力輝度調整手段は、前記画像ミュート手段による画像ミュートモードの設定に連動して前記水銀ランプに供給する電力量を調整することによって前記水銀ランプをＯＮ状態のままその出力輝度を該水銀ランプの照明光が前記光変調素子の画面から透過しない程度にまで低下させて前記予め定めた黒色画像を表示させ、前記画像ミュート手段による画像ミュートモードの設定の解除に連動して前記水銀ランプの出力輝度をミュート前の状態に戻すものである。
【０００８】
また、上記装置において、前記画像ミュート手段による設定およびその設定の解除に対応して前記ファンの回転速度を調整するファン速度調整手段とを備えたことを、特徴とする。これにより、画像ミュートの設定時、ファンの回転速度を使用環境に応じて適宜定めることができる。
なお、前記ファン速度調整手段を、前記画像ミュート手段による設定に連動して前記ファンの回転速度を低下させ、前記設定の解除に連動して前記ファンの回転速度をミュート前の状態に戻すものとすると、画像ミュートの設定時にはファンの回転速度を下げてその騒音を低減させながら画像ミュートを効果的に実施させ、画像ミュートの解除時には、ファンの回転速度を通常の制御による回転速度に戻すことが可能となる。
【０００９】
また、上記装置において、音声の出力を行うスピーカと、前記画像ミュート手段による設定およびその設定の解除に対応して前記スピーカの出力を調整する音声調整手段（Ａ／Ｖミュート機能）を備えたことを、特徴とする。これにより、Ａ／Ｖミュートの設定時、スピーカからの出力音量も使用環境に応じて適宜定めることができる。
なお、前記音声調整手段を、前記画像ミュート手段による設定に連動して前記スピーカからの出力を停止させ、前記設定の解除に連動して前記スピーカからの出力を再開させるものであるとすると、Ａ／Ｖミュートの設定時には音声出力も完全に停止され、Ａ／Ｖミュートの解除時には、画像表示に併せて音声も素早く出力させることが可能となる。
【００１０】
なお、上記の各構成は、プロジェクタに適用すると特に有効な効果を奏する。それは、最近のプロジェクタにあっては、光源に前述したような特性を有する超高圧水銀ランプを使用するケースが増えているためである。
【００１１】
【発明の実施の形態】
実施形態１
図１は本発明の実施形態を説明するためのいわゆる単板式プロジェクタの主な構成を示すブロック図である。このプロジェクタ１００は、図示するように、照明光源としてのランプ１、ランプ１で照射され所定の画像情報に従って画像を表示する液晶パネルなどの光変調素子２、光変調素子２で生成された画像を投射する投射レンズ３を備える。プロジェクタ１００は、また、ランプ１を駆動するランプ駆動回路１Ａ、光変調素子２に画像情報を供給する画像処理回路２Ａ、音声を出力するスピーカ４、スピーカ４に音声情報を供給する音声処理回路４Ａ、ランプ１および／または光変調素子２を冷却するためのファン５、ファン５を駆動するためのファン駆動回路５Ａ、プロジェクタ１００へ各種の制御情報やデータを入力するための入力装置を含むユーザーインターフェース６、そして、ランプ駆動回路１Ａ、画像処理回路２Ａ、音声処理回路４Ａ、ファン駆動回路５Ａ、並びにユーザーインターフェース６を監視、制御する中央処理装置（ＣＰＵ）７を備える。
【００１２】
ここで、ランプ駆動回路１Ａ、画像処理回路２Ａ、音声処理回路４Ａ、ファン駆動回路５Ａ、およびユーザーインターフェース６について、簡単に説明を追加しておく。
ランプ駆動回路１Ａは、ランプに駆動電力を供給するための電源回路であり、外部から供給された電力を変圧してランプ１に供給するものである。このランプ駆動回路１ＡはＣＰＵ７によってランプ１への電力供給量が制御され、それによりランプ１の出力輝度が調整される。
画像処理回路２Ａは、例えばパソコンなどで表示された画像または予め内部に記憶しておいた画像信号を読み込み、それをＲＧＢ信号として光変調素子２に送るものである。また、ここで、画像表示のための各種の設定が行われる。この画像処理回路２ＡもＣＰＵ７によって制御される。
音声処理回路４Ａは、画像と共に取り込まれた音声信号などをスピーカ４から出力させるように処理するものであり、スピーカ４への音声出力のＯＮ／ＯＦＦはＣＰＵ７によって制御される。
ファン駆動回路５Ａは、モータなどから構成され、ランプ１および／または光変調素子２に冷却風を送るためのファン５に動力を供給するものであり、その動力供給量はＣＰＵ７によって制御される。なお、最近の高輝度ランプは、その使用時にかなりの発熱を生じるため、ランプの冷却が特に重要となってきている。
ユーザーインターフェース６は、外部からプロジェクタ１００へ各種制御情報や各種データを入力するためのものであり、外部パソコンからの画像信号の取り込みや予めプロジェクタ内部に記憶しておく表示用画像信号の取り込みは、これにより行われる。また、各種ミュート設定（または選択）の指令も、このユーザーインターフェース６を介して行われる。
【００１３】
上記のプロジェクタ１００は、主電源がＯＮされている間、ランプ駆動回路１Ａによりランプ１が点灯され、そのランプ１の照明が光変調素子２に入射する。ランプ１の照明光が入射した光変調素子２は、画像処理回路２Ａから送られてきた画像情報に従ってその画面に画像を表示し、その画像が投射レンズ３によりスクリーン２００に投射される。また、その画像表示に合わせて、音声処理回路４Ａからの音声情報に従ってスピーカ４から音声が出力される。さらに、主電源がＯＮされている間は、ファン駆動回路５Ａによりファン５が駆動され、プロジェクタ内部の温度が予め定められた所定値以下に保たれるようになっている。なお、ファン５の駆動は、通常、内部の温度状況に対応してＣＰＵ７などにより自動的に制御されている。
【００１４】
次に、上記のプロジェクタ１００が備えるＡ／Ｖミュート（画像の非表示および音声の非出力）機能およびＡ／Ｖミュートの設定に関連する動作を、図２のフローチャートに基づいて説明する。
プロジェクタの主電源がＯＮされている間、ユーザーインターフェース６からＡ／Ｖミュートの選択入力がなされたか否かを監視する（ステップＳ１）。その監視の結果、Ａ／Ｖミュートの選択入力がなされていない場合には、ランプ１、光変調素子２、およびスピーカ４を通常の制御により動作させて、画像表示および音声出力を行う（ステップＳ２，Ｓ３）。
これに対して、ステップＳ１でＡ／Ｖミュートの選択入力がなされたと判断された場合には、ユーザーにより予め選択された画像が光変調素子２の画面に表示される（ステップＳ４）。この選択画像は、例えば、画面全体を黒色にする黒色画像や、ロゴ画像などユーザーが予め設定しておいた任意の画像とする。
続いて、ランプ駆動回路１Ａを制御してランプ１の輝度を、その照明光が光変調素子２の画面から透過しない程度にまで低下させる（ステップＳ５）。
また、ファン駆動回路５Ａを制御してファン５の回転速度を、その騒音が視聴者などに対して気にならない程度となるまで低下させる（ステップＳ６）。
さらに、音声処理回路４Ａを制御してスピーカ４からの音声出力を停止させる（ステップＳ７）。なお、Ａ／Ｖミュートの選択時における、ランプ１の出力輝度の低下量やファン５の回転速度の低下量も、上記の例に限定されることなく、使用環境や目的に応じて、適宜に調整できるようにしておくものとする。
【００１５】
上記ステップＳ４〜Ｓ７の処理が済んだ後は、ユーザーインターフェース６からＡ／Ｖミュートの解除入力がなされたか否かを監視する（ステップＳ８）。そして、Ａ／Ｖミュートの選択が維持されている場合には、上記のＡ／Ｖミュート設定状態を維持する。
これに対して、ステップＳ８でＡ／Ｖミュートの解除入力がなされたと判断された場合には、ランプ駆動回路１Ａを制御してランプ１の輝度をＡ／Ｖミュート設定前の状態に戻す（ステップＳ９）。
また、ファン５の回転速度を内部温度に対応して制御する通常の制御に戻す（ステップＳ１０）。この場合、ファン５の回転速度をＡ／Ｖミュート設定前の状態に戻すようにしてもよい。
そして、画像処理回路２Ａから光変調素子２にＡ／Ｖミュート設定前の画像若しくはユーザーが指定する新たな画像情報を供給して、それを光変調素子２の画面に表示させる（ステップＳ１１）。
さらに、音声処理回路４ＡをＡ／Ｖミュート設定前の状態に制御してスピーカ４から音声を出力させる（ステップＳ１２）。
【００１６】
なお、上記各ステップ中における、「監視」、「判断」および「制御」は、ＣＰＵ７を利用して行なわれるものとする。
また、上記ステップ中において、Ａ／Ｖミュートの選択入力がなされたと判断された場合、ユーザーにより予め選択された画像を光変調素子２の画面に表示させる代わりに、その画面を非表示（画面表示ＯＦＦ）とすることもできる。
さらに、Ａ／Ｖミュートの選択時における上記ステップＳ４〜Ｓ７の順位、あるいはＡ／Ｖミュート解除時における上記ステップＳ９〜Ｓ１２の順位は、任意に変更してよく、またそれらを同時に行ってもよい。
【００１７】
図３はＡ／Ｖミュートの選択時および解除時におけるランプ１の動作を、本実施形態の場合とランプ１を消灯／点灯した場合とで比較したタイミングチャートである。
ランプ１の輝度変化は、ユーザーのＡ／Ｖミュート選択および解除動作（グラフａ）と、完全に一致して行われるのが理想的である（グラフｂ）。しかしながら、超高圧水銀ランプの場合にはそれは不可能である。例えば、超高圧水銀ランプをＡ／Ｖミュート選択時に消灯させた場合、Ａ／Ｖミュート解除時にそれを再び点灯させようとすると、クーリングオフに１分程度を要し、さらに輝度をミュート前の状態まで回復させるのに３０秒程掛かってしまう（グラフｃ）。
これに対して、本実施形態のように、ランプ１を消灯することなくその出力輝度を一定量低下させるように調整すると、Ａ／Ｖミュート選択時は、それにほぼ一致してランプ１の輝度が低下し、一方、Ａ／Ｖミュート解除時は、１秒程度の遅れでミュート前の輝度に戻すことができる（グラフｄ）。これによれば、Ａ／Ｖミュートの解除時に、視聴者が画像表示の遅れを感じることはほとんどない。これは、一度点灯したランプの電力切り換え時はランプ内の水銀も蒸発状態にあり、内部圧力も十分高まっているので、点灯時と比較すると遙かに早い応答で輝度変化が行われるからである。
【００１８】
実施形態２
図４は本発明の実施形態２を説明するため３板式プロジェクタの主な構成を示すブロック図である。このプロジェクタ３００は、ランプ装置１３からの照明光を、色光分離光学系８を利用して赤（Ｒ）、緑（Ｇ）、青（Ｂ）の光に分離させ、分離した各色光を画像のＲＧＢ信号のそれぞれに対応して設けられた光変調素子である液晶パネル２Ｒ，２Ｇ，２Ｂに照射して画像を表示させた後、それぞれの画像をクロスダイクロイックプリズム９で合成して、その合成画像を投射レンズ３から投射するようにしたものである。なお、図４において、図１と同じ符号は、図１のそれらと同一な物または相当な物を示している。
（ｉ）Ａ／Ｖミュート機能に関する構成
この３板式プロジェクタ３００においては、Ａ／Ｖミュートを設定すると、画像処理回路２Ａからそれぞれの液晶パネル２Ｒ，２Ｇ，２Ｂに対して、画像の非表示処理または予め定めた所定の表示に対応する画像描画が行われ、Ａ／Ｖミュートの解除時には各液晶パネル毎に通常の画像表示処理に戻る処理が行われるが、これら以外の設定や処理は、基本的に実施形態１の場合と同じである。従って実施形態２におけるＡ／Ｖミュート設定に関する動作処理も、図２のフローチャートに従って行われる。
（ii）光学ユニットの構成
図５はプロジェクタ３００の光学系を示す構成図であり、この図５を参照しながら、プロジェクタ３００の光学ユニットの構成および作用を以下に説明する。
【００１９】
この光学ユニットは、照明光学系２３、色光分離光学系８、リー光学系２５、光変調手段としての液晶パネル２Ｒ，２Ｇ，２Ｂ、色光合成のためのクロスダイクロイックプリズム９、および投射レンズ３などから構成されている。
【００２０】
照明光学系２３は、ランプ１１とリフレクタ１２からなるランプ装置１３と、液晶パネル２Ｒ，２Ｇ，２Ｂの画像形成領域をほぼ均一に照明するインテグレータレンズを構成する第１及び第２レンズアレイ２１，２２と、反射ミラー３１（照明光の進行方向を変えない配置構成の場合には不要）と、重畳レンズ３２とを備えている。
【００２１】
第１レンズアレイ２１は、略矩形状の輪郭を有する小レンズ２１１がＭ行Ｎ列のマトリクス状に配列された構成を有している。各小レンズ２１１は、ランプ１から入射された平行な光束を複数の（すなわちＭ×Ｎ個の）部分光束に分割し、各部分光束を第２レンズアレイ２２の近傍で結像させる。各小レンズ２１１の輪郭の形状は、液晶パネル２Ｒ，２Ｇ，２Ｂの画像形成領域の形状とほぼ相似形をなすように設定されている。例えば、液晶パネルの画像形成領域のアスペクト比（横と縦の寸法の比率）が４：３であるならば、各小レンズのアスぺクト比も４：３に設定される。
また、第２レンズアレイ２２も、第１レンズアレイ２１の小レンズ２１１に対応して、小レンズ２２１がＭ行Ｎ列のマトリクス状に配列された構成を有している。
【００２２】
色光分離光学系８は、２枚のダイクロイックミラー４１，４２と反射ミラー４３とを備え、照明光学系２３の重畳レンズ３２から出射される光を、赤、緑、青の３色の色光に分離する機能を有している。
リレー光学系２５は、ダイクロイックミラー４２からの透過光に対応する光路で、入射側レンズ５４、反射ミラー７１，７２、およびリレーレンズ７３を備えている。
【００２３】
液晶パネル２Ｒ，２Ｇ，２Ｂは、例えば、ポリシリコンＴＦＴをスイッチング素子として用いたもので、クロスダイクロイックプリズム９の３側面と対向するように、クロスダイクロイックプリズム９に固定部材を介して接着固定されている。また、各液晶パネル２Ｒ，２Ｇ，２Ｂの光入出射面側には、入射側偏光板６０Ｒ，６０Ｇ，６０Ｂが、そして光出射面側には出射側偏光板６１Ｒ，６１Ｇ，６１Ｂがそれぞれ配置されている。
【００２４】
クロスダイクロイックプリズム９は、赤、緑，青の３色の色光を合成してカラー画像を形成するもので、赤光を反射する誘電体多層膜と、青光を反射する誘電体多層膜とが、４つの直角プリズムの界面に沿って略Ｘ字状に形成され、これらの誘電体多層膜によって上記３つの色光が合成される。そして、クロスダイクロイックプリズム９の出射面側に、投射レンズ３が配置されている。
【００２５】
（iii）光学ユニットの作用
ランプ１１から射出された光はリフレクタ１２で反射されて、第１および第２レンズアレイ２１，２２で構成されるインテグレータレンズに入る。インテグレータレンズは、第１レンズアレイ２１の各レンズセルで形成される像を、第２レンズアレイ２２および重畳レンズ３２により各液晶パネル２Ｒ，２Ｇ，２Ｂの表示面に結像させることで、光の利用率を向上させかつ液晶パネル面での照明むらを改善する作用を果たす。インテグレータレンズおよび重畳レンズ３２を出た光は、続いて色光分離光学系８に入る。
【００２６】
色光分離光学系８の第１ダイクロイックミラー４１では、照明光学系２３から出射された光束の赤色光成分を反射するとともに、青色光成分と緑色光成分とが透過する。第１ダイクロイックミラー４１によって反射した赤色光は、反射ミラー４３を介して、フィールドレンズ５１に入り、さらに赤色光用の液晶パネル２Ｒに達する。このフィールドレンズ５１は、第２レンズアレイ２２から出射された各部分光束をその中心軸（主光線）に対して平行な光束に変換する。他の液晶パネル２Ｇ，２Ｂの前に設けられたフィールドレンズ５２，５３も同様に作用する。
【００２７】
第１ダイクロイックミラー４１を透過した青色光と緑色光のうちで、緑色光は第２ダイクロイックミラー４２によって反射し、フィールドレンズ５２を通って緑色光用の液晶パネル２Ｇに達する。一方、青色光は第２ダイクロイックミラー４２を透過してリレー光学系２５を通り、さらにフィールドレンズ５３を通って青色光用の液晶パネル２Ｂに達する。
【００２８】
色光分離光学系８で分離された赤、緑、青の各色光は、液晶パネル２Ｒ，２Ｇ，２Ｂに入射するにあたり、入射側偏光板６０Ｒ，６０Ｇ，６０Ｂで特定の偏光光のみとされる。この後、各偏光光は、各液晶パネル２Ｒ，２Ｇ，２Ｂにおいて画像処理装置２Ａより与えられた画像情報に従って変調され、変調光として出射側備光板６１Ｒ，６１Ｇ，６１Ｂに出射される。この出射側偏光板６１Ｒ，６１Ｇ，６１Ｂにおいては、変調光のうちの特定の偏光光のみが透過し、クロスダイクロイックプリズム９に入射する。そして、各色光はクロスダイクロイックプリズム９で合成されて合成光となり、投射レンズ３からスクリーン２００にカラー画像として投射される。
【００２９】
なお、照明光学系２３の所定位置、例えば、第２レンズアレイ２２と重畳レンズ３２との間に、ランプ装置１３からのＰ偏光およびＳ偏光の双方を含む照明光を、そのいずれかの偏光光に揃える偏光ビームスプリッタを配置すると、液晶パネル２Ｒ，２Ｇ，２Ｂにおいて、ランプ装置１３から入射した光を無駄にすることなく、そのほぼ全てを利用することが可能となる。
【００３０】
ところで、上記各実施形態では、光変調素子が１個の単板式プロジェクタ、および液晶パネルがＲＧＢ信号にそれぞれ対応して３個枚設けられた３板式プロジェクタを例に説明したが、液晶パネルなどの光変調素子はその他の数、例えば２個あるいは４個使用するようにしてもよい。
また、液晶パネルは、光を透過して変調する透過型のものであったが、入射した光を反射しつつ変調して出射する反射型のものであってもよい。
さらに、プロジェクタは前面のスクリーンに投射する前面投射型あるいはスクリーンの背面から投射する背面投射型のいずれのタイプであってもかまわない。
【００３１】
また、上記各実施形態では、Ａ／Ｖミュート設定の際に、画像ミュートおよびランプの出力輝度制御、音声ミュート、並びにファンの速度調整を全て行うようにしたが、画像ミュートとランプの出力輝度制御のセットに音声ミュートのみを組み合わせること、または、画像ミュートとランプの出力輝度制御のセットにファンの速度調整のみを組み合わせることも可能である。
【００３２】
さらに、上記各実施形態では、画像ミュート機能やＡ／Ｖミュート機能をプロジェクタに適用した例を説明したが、本発明はプロジェクタに限られるものではなく、超高圧水銀ランプなどの点灯するまでに比較的時間を要するランプを用いる他の画像表示装置にも適用することができる。なおその場合において、それらのミュート設定時における、ランプの出力輝度やファンの回転速度は、その画像表示装置の使用環境に合わせて適宜に決定できるようにしておくのがよい。
【００３３】
【発明の効果】
本発明の画像表示装置によれば、画像ミュートまたはＡ／Ｖミュートの設定時に、ランプの輝度を低下させ、更にはファンの騒音も低減させたので、視聴者へ及ぼす光や音の影響が緩和され、それらミュート機能の効果をより高めることが可能となる。加えて、それらのミュート設定の解除時には、素早く通常の画面表示に戻すことも可能となる。
【図面の簡単な説明】
【図１】本発明の実施形態１に係る単板式プロジェクタの主な構成を示すブロック図。
【図２】図１のプロジェクタが備えるＡ／Ｖミュート（画面の非表示および音声の非出力）の設定に関連する動作を示すフローチャート。
【図３】画像ミュートの設定時および解除時におけるランプの動作を、本実施形態の場合とランプを消灯／点灯した場合とで比較したタイミングチャート。
【図４】本発明の実施形態２に係る３板式プロジェクタの主な構成を示すブロック図。
【図５】図４のプロジェクタの光学系を示す構成図。
【符号の説明】
１  ランプ
１Ａ  ランプ駆動回路
２  光変調素子
２Ａ  画像処理回路
２Ｂ，２Ｇ，２Ｒ  液晶パネル
３  投射レンズ
４  スピーカ
４Ａ  音声処理回路
５  ファン
５Ａ  ファン駆動回路
６  ユーザーインターフェース
７  中央処理装置（ＣＰＵ）
８  色光分離光学系
９  クロスダイクロイックプリズム
１１  ランプ
１２  リフレクタ
１３  ランプ装置
【図１】
0004085666.tif 000002
【図２】
0004085666.tif 000003
【図３】
0004085666.tif 000004
【図４】
0004085666.tif 000005
【図５】
0004085666.tif 000006